(57)【要約】【課題】特に一種の回転速度の慣性を増加させることができ、体積が小さく、又、重量が軽く、組み立てが便利であり、更に、コストを下げることができる健身器の同心円磁力コントロール伝動システムを提供する。【解決手段】主に１つのメインフレーム(1)と、１つの軸ロッド(2)と、１つの固定ベルト盤(3)と、少なくとも１つの可動ベルト盤と、少なくとも１つのベルトと、１つの設置板(9)とからなり、ベルトにより各部を連動させ、設置板(9)の回転速度の慣性を増加させることができ、且つ、同心円伝動原理により、可動ベルト盤(4)(5)の大きさを大きくすることなく、設置板(9)の回転速度比を高めることができ、器材全体の大きさ、面積を縮小することができ、組み立てが便利で、且つ、製造コストを抑えた健身器を提供することができる。【選択図】図１
0003121076.tif 000002
【実用新案登録請求の範囲】
【請求項１】
主に１つのメインフレーム(1)と、１つの軸ロッド(2)と、１つの固定ベルト盤(3)と、少なくとも１つの可動ベルト盤と、少なくとも１つのベルトと、１つの設置板(9)とからなり、
該メインフレーム(1)は軸ロッド(2)を固定設置する為の置孔(11)を有し、
且つ、置孔(11)周辺に固定ベルト盤(3)を固定する為の固定孔(12)を有し、
該軸ロッド(2)は連結ロッド(21)を有し、
該連結ロッド(21)の両端にそれぞれ１つの支軸((211)/(212))を有し、
該固定ベルト盤(3)は中心部に軸ロッド(2)を貫通させる為の軸孔(31)を有し、
ボルト(B)によりメインフレーム(1)の固定孔(12)に固定される為の固定孔(32)を有し、
且つ、周囲にベルトを設置する為に１つのベルト槽(33)を有し、
該可動ベルト盤は中心部に枢軸孔を有し、
周囲にベルトを設置する為の第一ベルト槽を有し、
且つ、中心部の１つの側に１つの軸段が延設され、
該軸段の周囲にベルトのもう一端を設置する為の第二ベルト槽を有し、
該設置板(9)は中心部に軸ロッド(2)を貫通させる為の軸孔(91)を有し、
且つ、中心部の１つの側に１つの軸段(92)が延設され、
該軸段(92)の周囲にベルトを設置する為のベルト槽(921)を有し、
該軸ロッド(2)の両端に該固定ベルト盤(3)の軸孔(31)、該設置板(9)の軸孔(91)がそれぞれ貫通設置され、更に、該軸ロッド(2)の両端がメインフレーム(1)の置孔(11)内に嵌入設置され、ペダルロッド(A)(A’)が軸ロッド(2)両端に枢軸固定され、固定ベルト盤(3)の固定孔(32)とメインフレーム(1)の固定孔(12)とがボルト(B)で固定され、
軸ロッド(2)の連結ロッド(21)両端の支軸(211)(212)のそれぞれに可動ベルト盤(5)の枢軸孔(51)、可動ベルト盤(4)の枢軸孔(41)がそれぞれ枢軸設置され、
ベルト(6)が固定ベルト盤(3)のベルト槽(33)と可動ベルト盤(4)の第二ベルト槽(431)とに設置され、
ベルト(7)が可動ベルト盤(4)の第一ベルト槽(42)と可動ベルト盤(5)の第二ベルト槽
(531)とに設置され、
ベルト(8)が可動ベルト盤(5)の第一ベルト槽(52)と設置板(9)のベルト槽(921)とに設置されることにより、１つの同心円伝動システムを形成し、該同心円伝動システムが健身器の底フレーム(C)上に固定されることを特徴とする健身器の同心円磁力コントロール伝動システム。
【請求項２】
該ペダルロッド(A)(A’)に力が加えられることにより、軸ロッド(2)が回転し、軸ロッド(2)の回転に伴い連結ロッド(21)も回転し、
連結ロッド(21)両端の支軸(211)(212)に可動ベルト盤(5)(4)が枢軸設置されている為、連結ロッド(21)が軸ロッド(2)の回転に伴い回転する時、可動ベルト盤(5)(4)は同時に連結ロッド(21)上を公転し、
可動ベルト盤(5)(4)が軸ロッド(2)の連結ロッド(21)両端の支軸(211)(212)上に枢軸設置され、
且つ、固定ベルト盤(3)がメインフレーム(1)上に固定され、
更に、ベルト(6)が固定ベルト盤(3)のベルト槽(33)と可動ベルト盤(4)の第二ベルト槽(431)とに設置され、
ベルト(7)が可動ベルト盤(4)の第一ベルト槽(42)と可動ベルト盤(5)の第二ベルト槽
(531)とに設置され、
ベルト(8)が可動ベルト盤(5)の第一ベルト槽(52)と設置板(9)のベルト槽(921)とに設置される構造により、
可動ベルト盤(5)(4)が公転する時、ベルト(6)が固定ベルト盤(3)に引っ張れ、公転に維持力が生じ、又、自転維持力も生じることを特徴とする請求項１記載の健身器の同心円磁力コントロール伝動システム。
【請求項３】
需要或いは必要に応じて可動ベルト盤の数を増減することができることを特徴とする請求項１記載の健身器の同心円磁力コントロール伝動システム。
【請求項４】
軸ロッドの連結ロッド(21)及び支軸の数を増加することができることを特徴とする請求項１記載の健身器の同心円磁力コントロール伝動システム。
【考案の詳細な説明】
【技術分野】
【０００１】
本考案は一種の健身器の同心円磁力コントロール伝動システムの構造に係るものであり、特に、器材全体の大きさ、面積を縮小することができ、組み立てが便利な健身器に係るものである。
【背景技術】
【０００２】
磁力により踏む力を調整するサイクリング健身器は色々な種類があるが、共通する構造は１つの回転盤と設置板とをベルトにより連結させる構造であり、回転盤と設置板との回転速度比を上げようとすれば、回転盤の大きさを大きくする必要があり、これにより、器材全体の面積、体積が増加し、製造コストが上がり、又、組み立てが簡単ではないと言う欠点がある。
【考案の開示】
【課題を解決するための手段】
【０００３】
本考案の主な目的は一種の健身器の同心円磁力コントロール伝動システムの構造で、器材全体の大きさ、面積を縮小することができ、組み立てが便利である健身器を提供することができる。
【０００４】
本考案のもう１つの目的は設置板(9)の回転速度の慣性効果を高めるもので、需要に応じて可動ベルト盤の数を増加することができ、該可動ベルト盤の増加に伴い、軸ロッドの連結ロッド(21)及び支軸の数を同時に増やすことができる。
【０００５】
以下に添付図面を参照して本考案のある好適な実施の形態を詳細に説明するが、それらの構成は本考案の構造の絶対的な制限にはならない。
【考案を実施するための最良の形態】
【０００６】
図１が示す如く、本考案は一種の健身器の同心円磁力コントロール伝動システムの構造で、
主に１つのメインフレーム(1)と、１つの軸ロッド(2)と、１つの固定ベルト盤(3)と、少なくとも１つの可動ベルト盤と、少なくとも１つのベルトと、１つの設置板(9)とからなり、
該メインフレーム(1)は軸ロッド(2)を固定設置する為の置孔(11)を有し、
且つ、置孔(11)周辺に固定ベルト盤(3)を固定する為の固定孔(12)を有し、
該軸ロッド(2)は連結ロッド(21)を有し、
該連結ロッド(21)の両端にそれぞれ１つの支軸((211)/(212))を有し、
該固定ベルト盤(3)は中心部に軸ロッド(2)を貫通させる為の軸孔(31)を有し、
ボルト(B)によりメインフレーム(1)の固定孔(12)に固定される為の固定孔(32)を有し、
且つ、周囲にベルトを設置する為に１つのベルト槽(33)を有し、
該可動ベルト盤(4)(5)は中心部に該連結ロッド(21)両端の支軸(211)(212)を貫通させることができる枢軸孔(41)(51)を有し、
周囲にベルトを設置する為の第一ベルト槽((42)/(52))を有し、
且つ、中心部の１つの側に１つの軸段((43)/(53))が延設され、
該軸段(43)(53)の周囲にベルトのもう一端を設置する為の第二ベルト槽(431)(531)を有し、
該設置板(9)は中心部に軸ロッド(2)を貫通させる為の軸孔(91)を有し、
且つ、中心部の１つの側に１つの軸段(92)が延設され、
該軸段(92)の周囲にベルトを設置する為のベルト槽(921)を有する。
【０００７】
組み合わせは図２〜７が示す如く、該軸ロッド(2)の両端に該固定ベルト盤(3)の軸孔(31)、該設置板(9)の軸孔(91)をそれぞれ貫通させた後、該軸ロッド(2)の両端をメインフレーム(1)の置孔(11)内に嵌入し、ペダルロッド(A)(A’)を枢軸固定し、固定ベルト盤(3)の固定孔(32)とメインフレーム(1)の固定孔(12)とをボルト(B)で固定し、固定ベルト盤(3)をメインフレーム(1)上に固定する。
【０００８】
軸ロッド(2)の連結ロッド(21)両端の支軸(211)(212)のそれぞれに可動ベルト盤(5)の枢軸孔(51)、可動ベルト盤(4)の枢軸孔(41)をそれぞれ枢軸設置し、
ベルト(6)を固定ベルト盤(3)のベルト槽(33)と可動ベルト盤(4)の第二ベルト槽(431)とに設置し、
ベルト(7)を可動ベルト盤(4)の第一ベルト槽(42)と可動ベルト盤(5)の第二ベルト槽
(531)とに設置し、
ベルト(8)を可動ベルト盤(5)の第一ベルト槽(52)と設置板(9)のベルト槽(921)とに設置することにより、１つの同心円伝動システムを形成し、該同心円伝動システムを健身器の底フレーム(C)上に固定する（図７）。
【０００９】
回転動作を行なう時、図２〜８が示す如く、ペダルロッド(A)(A’)に力を加えることにより（通常サイクリング動作）、軸ロッド(2)を回転させ、軸ロッド(2)の回転に伴い連結ロッド(21)も回転し、
連結ロッド(21)両端の支軸(211)(212)に可動ベルト盤(5)(4)が枢軸設置されている為、連結ロッド(21)が軸ロッド(2)の回転に伴い回転する時、可動ベルト盤(5)(4)は同時に連結ロッド(21)上を公転し、
可動ベルト盤(5)(4)が軸ロッド(2)の連結ロッド(21)両端の支軸(211)(212)上に枢軸設置され、
且つ、固定ベルト盤(3)がメインフレーム(1)上に固定され、
更に、ベルト(6)が固定ベルト盤(3)のベルト槽(33)と可動ベルト盤(4)の第二ベルト槽(431)とに設置され、
ベルト(7)が可動ベルト盤(4)の第一ベルト槽(42)と可動ベルト盤(5)の第二ベルト槽
(531)とに設置され、
ベルト(8)が可動ベルト盤(5)の第一ベルト槽(52)と設置板(9)のベルト槽(921)とに設置される構造により、
可動ベルト盤(5)(4)が公転する時、ベルト(6)が固定ベルト盤(3)に引っ張れ、公転に維持力が生じ、又、自転維持力も生じる（図中の矢印）。
【００１０】
ベルト(6)が固定ベルト盤(3)のベルト槽(33)と可動ベルト盤(4)の第二ベルト槽(431)とに設置され、
ベルト(7)が可動ベルト盤(4)の第一ベルト槽(42)と可動ベルト盤(5)の第二ベルト槽
(531)とに設置され、
ベルト(8)が可動ベルト盤(5)の第一ベルト槽(52)と設置板(9)のベルト槽(921)とに設置される構造により、各部が連動し、設置板(9)の回転速度の慣性を増加させることができ、
且つ、同心円伝動原理により、可動ベルト盤(4)(5)の大きさを大きくすることなく、
設置板(9)の回転速度比を高めることができ、
器材全体の大きさ、面積を縮小することができ、組み立てが便利で、
且つ、製造コストを抑えた健身器を提供することができる。
【図面の簡単な説明】
【００１１】
【図１】本考案の実施例を示す組み合わせ分解図である。
【図２】本考案の実施例の伝動システムを示す立体組み合わせ及び動作図である。
【図３】本考案の実施例の伝動システムを示す組み合わせ断面図である。
【図４】本考案の実施例を示す立体組み合わせ図である。
【図５】本考案の実施例を示す組み合わせ側視図である。
【図６】本考案の実施例を示す組み合わせ正面図である。
【図７】本考案の実施例の組み合わせと健身器材との組み合わせ側視図である。
【図８】本考案の実施例の固定ベルト盤(3)と、可動ベルト盤と、ベルトとの間の動作図である。
【符号の説明】
【００１２】
1        
メインフレーム
11        置孔
12        固定孔
2        
軸ロッド
21        連結ロッド
211, 212   支軸
3        
固定ベルト盤
31        軸孔
32        固定孔
33        ベルト槽
4, 5       可動ベルト盤
41, 51     枢軸孔
42, 52     第一ベルト槽
43, 53     軸段
431, 531   第二ベルト槽
6, 7, 8     ベルト
9        
設置板
91        軸孔
92        軸段
921       ベルト槽
A, A’      ペダルロッド
B        
ボルト
C        
底フレーム
【図１】
0003121076.tif 000003
【図２】
0003121076.tif 000004
【図３】
0003121076.tif 000005
【図４】
0003121076.tif 000006
【図５】
0003121076.tif 000007
【図６】
0003121076.tif 000008
【図７】
0003121076.tif 000009
【図８】
0003121076.tif 000010